(57)【要約】【課題】  この発明は、受信装置にＰＬＬ回路およびＶＣＸＯ回路が不要となる映像信号の無線伝送システムを提供することを目的とする。【解決手段】  送信装置は、一定数の垂直周期分の映像信号を符号化単位として、映像信号を符号化する符号化手段、ならびに各符号化単位毎の符号化信号の先頭データ送信間隔が上記一定数の垂直周期分に相当する時間間隔となるように、各符号化単位毎に符号化信号を送出させるとともに、各符号化単位毎の符号化信号の先頭データを送出する際に、符号化単位毎の符号化信号の先頭であることを示す符号化単位先頭フラグを多重して送出する手段を備えており、受信装置は、受信した符号化信号を一時的に蓄積するバッファ、ならびに受信した符号化信号から符号化単位先頭フラグを検出した時点から一定時間経過後に、バッファから符号化単位の符号化信号を読み出して復号化を行なう復号化手段を備えている。【選択図】  図１
2007074127.tif 000002
【特許請求の範囲】
【請求項１】
映像信号を符号化して無線送信する送信装置と、送信装置から無線送信された符号化映像信号を受信して復号化する受信装置とを備えた映像信号伝送システムにおいて、
送信装置は、一定数の垂直周期分の映像信号を符号化単位として、映像信号を符号化する符号化手段、ならびに各符号化単位毎の符号化信号の先頭データ送信間隔が上記一定数の垂直周期分に相当する時間間隔となるように、各符号化単位毎に符号化信号を送出させるとともに、各符号化単位毎の符号化信号の先頭データを送出する際に、符号化単位毎の符号化信号の先頭であることを示す符号化単位先頭フラグを多重して送出する手段を備えており、
受信装置は、受信した符号化信号から符号化単位先頭フラグを検出するフラグ検出手段、受信した符号化信号を一時的に蓄積するバッファ、ならびにフラグ検出手段によって符号化単位先頭フラグが検出された時点から一定時間経過後に、バッファから符号化単位の符号化信号を読み出して復号化を行なう復号化手段を備えていることを特徴とする映像信号伝送システム。
【請求項２】
受信装置は、復号化手段によって得られた映像信号を表示するための表示装置を備えていることを特徴とする請求項１に記載の映像信号伝送システム。
【発明の詳細な説明】
【技術分野】
【０００１】
この発明は、映像信号の無線伝送システムに関する。
【背景技術】
【０００２】
映像信号の符号化伝送技術としてＭＰＥＧ２等が広く知られている。しかしながら、従来の符号化伝送技術は、受信装置のクロックを送信装置のクロックと同期させる必要があった。このため、受信装置において、ＰＬＬ回路およびＶＣＸＯ回路が必要であった。
【発明の開示】
【発明が解決しようとする課題】
【０００３】
この発明は、受信装置にＰＬＬ回路およびＶＣＸＯ回路が不要となる映像信号の無線伝送システムを提供することを目的とする。
【課題を解決するための手段】
【０００４】
請求項１に記載の発明は、映像信号を符号化して無線送信する送信装置と、送信装置から無線送信された符号化映像信号を受信して復号化する受信装置とを備えた映像信号伝送システムにおいて、送信装置は、一定数の垂直周期分の映像信号を符号化単位として、映像信号を符号化する符号化手段、ならびに各符号化単位毎の符号化信号の先頭データ送信間隔が上記一定数の垂直周期分に相当する時間間隔となるように、各符号化単位毎に符号化信号を送出させるとともに、各符号化単位毎の符号化信号の先頭データを送出する際に、符号化単位毎の符号化信号の先頭であることを示す符号化単位先頭フラグを多重して送出する手段を備えており、受信装置は、受信した符号化信号から符号化単位先頭フラグを検出するフラグ検出手段、受信した符号化信号を一時的に蓄積するバッファ、ならびにフラグ検出手段によって符号化単位先頭フラグが検出された時点から一定時間経過後に、バッファから符号化単位の符号化信号を読み出して復号化を行なう復号化手段を備えていることを特徴とする。
【０００５】
請求項２に記載の発明は、請求項１に記載の発明において、受信装置は、復号化手段によって得られた映像信号を表示するための表示装置を備えていることを特徴とする。
【発明の効果】
【０００６】
この発明によれば、受信装置にＰＬＬ回路およびＶＣＸＯ回路が不要となる。
【発明を実施するための最良の形態】
【０００７】
以下、図面を参照して、この発明の実施例について説明する。
【実施例１】
【０００８】
図１は、映像信号の無線伝送システムの構成を示している。図２は、図１の各部の信号を示している。
【０００９】
映像信号の無線伝送システムは、送信装置１００と受信装置（ＴＶ装置）２００とを備えている。
【００１０】
送信装置１００に入力されたコンポジット映像信号は、ＮＴＳＣデコーダ１１に送られ、輝度信号、色差信号および同期信号Ｈ，Ｖが抽出される。
【００１１】
１フィールド単位の輝度信号および色差信号は、１フレーム遅延回路（２フィールド遅延回路）１２に送られるとともに符号化回路１３に送られる。１フレーム遅延回路１２によって１フレーム期間だけ遅延された輝度信号および色差信号は、符号化回路１３に送られる。したがって、図２に示すように、１フレーム期間（２フィールド期間）毎に、４フィールド分の映像信号が符号化回路１３に入力する。符号化回路は、２フレーム期間毎に、４フィールド分の映像信号を符号化する。この符号化の単位である”一定数の垂直周期分の映像信号”を、”符号化フレーム”ということにする。この例では、”符号化フレーム”は、４フィールド分の映像信号からなる。
【００１２】
同期信号Ｈ，Ｖはタイミング生成回路１８に送られる。タイミング生成回路１８は、符号化タイミイング信号を生成して符号化回路１３に与えるとともに、”符号化フレーム”を構成するフィールド数に相当する周期（この例では４フィールド周期）で符号化フレーム開始フラグを生成して送信バッファ１４およびＴＳ化および開始フラグ付加回路１５に与える。
【００１３】
輝度信号および色差信号の各フィールドをＦ１，Ｆ２，Ｆ３，Ｆ４，…で表すと、図２に示すように、”第１符号化フレーム”は、Ｆ１，Ｆ２，Ｆ３，Ｆ４の４フィールド分の信号から構成され、”第２符号化フレーム”は、Ｆ５，Ｆ６，Ｆ７，Ｆ８の４フィールド分の信号から構成される。符号化回路１３は、”第１符号化フレーム”を符号化する際には、まず、Ｆ１およびＦ３を符号化し、この後、Ｆ２およびＦ４を符号化する。”第１符号化フレーム”の符号化は１フレーム期間に行なわれて、送信バッファ１４に送られる。”符号化フレーム”のデータ量は、映像の内容により変化するので、出力ビットレートも変化する。
【００１４】
送信バッファ１４は、タイミング生成回路１８からの符号化フレーム開始フラグが送られてくると、符号化回路１３から入力された符号化単位の符号化データを一定のビットレートで出力する。送信バッファ１４から出力された符号化単位の符号化データは、ＴＳ化および開始フラグ付加回路１５に送られる。ＴＳ化および開始フラグ付加回路１５では、送信バッファ１４から送られてきた符号化単位の符号化データをＭＰＥＧ２システムに準拠した多重化方式のＴＳに変換するとともに符号化単位のＴＳパケットのヘッダ部分に符号化フレーム開始フラグ（符号化単位先頭フラグ）を付加する。このようにして得られた符号化単位のＴＳは、ＲＦ変調回路１６により、ＲＦ変調された後、送信アンテナ１７を介して無線送信される。
【００１５】
したがって、”符号化フレーム”の先頭データの送信間隔は、”符号化フレーム”を構成するフィールド数に相当する所定時間間隔（この例では４フィールドに相当する時間間隔）となる。なお、図２に示すように、”第１符号化フレーム”および”第３符号化フレーム”の送信時間は、”第２符号化フレーム”の送信時間よりも長くなっているのは、”第１符号化フレーム”および”第３符号化フレーム”のデータ量が”第２符号化フレーム”のデータ量より多いためである。
【００１６】
受信装置２００では、送信装置１００から送出された符号化映像伝送電波が受信アンテナ２１によって受信され、ＲＦ復調回路２２で復調される。ＲＦ復調回路２２によって得られた符号化単位のＴＳ（符号化データ）は、受信バッファ２３に蓄積され、復号に最適なタイミングで順次読み出されて復号化回路２４に送られる。この読み出しタイミングは、復号化タイミング発生回路２８によって決定される。
【００１７】
ＲＦ復調回路２２によって得られた符号化単位のＴＳは、開始フラグ抽出部（開始フラグ検出部）２７にも送られる。開始フラグ抽出部２７は、符号化単位のＴＳのヘッダから符号化フレーム開始フラグを抽出し、復号化タイミング発生回路２８に送る。復号化タイミング発生回路２８は、開始フラグ抽出部２７から符号化フレーム開始フラグが送られてくると、その時点から一定期間（この例では、４４．４ｍｓｅｃ）経過した時点で、受信バッファ２３に蓄積されている当該”符号化フレーム”の符号化データの読み出しを開始させる。
【００１８】
例えば、”第１符号化フレーム”が受信バッファ２３から読み出された場合には、まず、Ｆ１およびＦ３が復号化された後、Ｆ２およびＦ４が復号化される。最初に復号化されたＦ１およびＦ３のうち、Ｆ１はスイッチ２６を介して液晶パネル３０に送られ、Ｆ３は１フレーム遅延バッファ（２フィールド遅延バッファ）２５に送られる。そして、次に複合化されたＦ２、Ｆ４のうち、Ｆ２がスイッチ２６を介して液晶パネル３０に送られ、Ｆ４は１フレーム遅延バッファ（２フィールド遅延バッファ）２５に送られる。この後、１フレーム遅延バッファ２５に蓄積されたＦ３がスイッチ２６を介して液晶パネル３０に送られる。この後、１フレーム遅延バッファ２５に蓄積されたＦ４がスイッチ２６を介して液晶パネル３０に送られる。
【００１９】
無線伝送が正常に行なわれている場合には、開始フラグ抽出部２７において、４フィールドに相当する所定時間間隔毎に、符号化フレーム開始フラグが抽出される。このため、各”符号化フレーム”は、４フィールドに相当する所定時間間毎に復号化回路２４に送られて復号化される。
【００２０】
この種の伝送システムでは、よく知られているように、無線伝送に失敗したパケットは再送されるようになっているので、伝送遅延のジッタが発生する。”符号化フレーム”は複数のパケットに分割されて送出されるが、１つのパケットが無線伝送に失敗した場合には、そのパケットおよびそのパケット以降のパケットを再送する必要がある。
【００２１】
しかしながら、符号化フレーム開始フラグを伝送するパケットにおいては、通常はその前にパケットがないので、その前のパケットの再送による遅延は起こらない。つまり、符号化フレーム開始フラグを伝送するパケット自体に伝送エラーが発生しない限り、符号化フレーム開始フラグを伝送するパケットは遅延なく伝送される。
【００２２】
パケットの伝送エラーの確率は１０％以下であるので、符号化フレーム開始フラグを伝送するパケットが伝送エラーとなる確率は低い。このため、受信装置２００側で復号化タイミングが遅れる確率は低い。また、たとえ、符号化フレーム開始フラグを伝送するパケットが伝送エラーとなったとしても、その遅延時間は短いので、受信装置２００側での復号化タイミングの遅れは小さくて済む。
【００２３】
図２の例では、”第１符号化フレーム”および”第２符号化フレーム”については、符号化フレーム開始フラグを伝送するパケットに伝送エラーがない場合を示し、”第３符号化フレーム”については、符号化フレーム開始フラグを伝送するパケットに伝送エラーがあったために、パケットが再送されて場合を示している。”第３符号化フレーム”については、符号化フレーム開始フラグを伝送するパケットの再送により、符号化フレーム開始フラグの検出タイミングが遅れるため、復号化タイミングが遅れている。
【図面の簡単な説明】
【００２４】
【図１】映像信号の無線伝送システムの構成を示すブロック図である。
【図２】図１の各部の信号を示すタイムチャートである。
【符号の説明】
【００２５】
１００  送信装置
２００  受信装置
１１  ＮＴＳＣデコーダ
１２  １フレーム遅延回路
１３  符号化回路
１４  送信バッファ
１５  ＴＳ化および開始フラグ付加回路
２３  受信バッファ
２４  復号化回路
２７  開始フラグ抽出部
２８  復号化タイミング発生回路
３０  液晶パネル
【図１】
2007074127.tif 000003
【図２】
2007074127.tif 000004